(57)【要約】      （修正有）【課題】吸収速度が速く、さらに液戻り量を抑え、装着時の加圧下での肌当接面側の液残り量を低減し、良好な装着感を奏する吸収性物品を提供する。【解決手段】表面シート１、裏面シート２、及び吸収体３を有する吸収性物品であって、窒素原子が３個以上、かつ、炭素原子が１〜３個の水溶性化合物を含有する吸収性物品である、水溶性化合物はタンパク質を成分として含有する排泄液に溶解可能な化合物であって、化合物中の窒素原子が帯びる負の荷電によって、経血等に含まれるタンパク質と水素結合する作用を奏するものである。【選択図】図１
2014100256.tif 000002
【特許請求の範囲】
【請求項１】
肌当接面側に配される表面シート、非肌当接面側に配される裏面シート、及び前記両シートの間に介在配置される吸収体を有する吸収性物品であって、
窒素原子が３個以上、かつ、炭素原子が１〜３個の水溶性化合物を含有する吸収性物品。
【請求項２】
前記水溶性化合物が、下記一般式（１）で表される化合物又はその塩である請求項１記載の吸収性物品。
【化１】
2014100256.tif 000008
（式中、Ｚは、イミド基又は酸素原子を表す。Ｙは、水素原子又は下記一般式（２）で表される基を表す。）
【化２】
2014100256.tif 000009
（式中、Ｘは単結合又はメチレン基を表す。Ｚは前記一般式（１）と同義である。）
【請求項３】
前記水溶性化合物が、タンパク質変性剤である請求項１又は２記載の吸収性物品。
【請求項４】
前記水溶性化合物が、グアニジン化合物又はその塩である請求項１〜３のいずれか１項に記載の吸収性物品。
【請求項５】
前記水溶性化合物が、１，２−ジカルバモイルヒドラジン又はメチレンビス尿素である請求項１〜３のいずれか１項に記載の吸収性物品。
【請求項６】
前記表面シートと前記吸収体との間に中間シートが介在配置されており、該中間シートに前記水溶性化合物が含有されている請求項１〜５のいずれか１項に記載の吸収性物品。
【発明の詳細な説明】
【技術分野】
【０００１】
本発明は生理用ナプキンやパンティーライナーなどの吸収性物品に関する。
【背景技術】
【０００２】
生理用ナプキン等は、経血等の粘性の高い排泄液を吸収保持させる。この高粘度の経血等を素早く吸収するための様々な工夫が図られてきた。たとえば、表面シートについて、繊維の粗密構造を形成したり、肌当接面側に凹凸をつけて凹部に開孔を付したりして液の透過性を高めようとするものがある。
一方で、経血等は、高粘性の要因となる、血球成分、可溶性タンパク質、細胞残屑等及び粘液等の成分を含む。これらの成分を含む経血等は、尿とは異なり、吸収体へと透過されても吸収体内で素早く浸透し難い。加えて、赤血球等の血球成分は、吸収体内にある高吸水性ポリマーに付着して、その吸収能力を低減させることがある。これらのことが、経血等の吸収速度を低減する要因となっている。その結果、経血等が吸収体内で固定化されず残ってしまうことがある。また、この状態で、生理用ナプキン等に着用者の体圧等が加わると、経血等が表面シートの肌当接面側に逆戻りしてしまうことがある。これにより、生理用ナプキン等の表面に経血等が残り、着用者は肌のべたつきで不快に感じてしまうことがある。
【０００３】
これに対し、特許文献１には、肌当接面以外の部位に、糖アルキルエーテル及び糖脂肪酸エステルからなる群から選択される一又は二種以上の界面活性剤を含有するセルロース系親水性繊維を含む吸収性物品が開示されている。この吸収性物品は、液の吸収速度が速く、スポット吸収性に優れ、液戻り量も少なくなるとされる。
【先行技術文献】
【特許文献】
【０００４】
【特許文献１】特開２００８−０２９８３０号公報
【発明の概要】
【発明が解決しようとする課題】
【０００５】
本発明は、前記特許文献１の技術の吸収速度の速さを維持しつつ、さらに液戻り量を抑え、装着時の加圧下での肌当接面側の液残り量を低減し、良好な装着感を奏する吸収性物品に関する。
【課題を解決するための手段】
【０００６】
本発明は、肌当接面側に配される表面シート、非肌当接面側に配される裏面シート、及び前記両シートの間に介在配置される吸収体を有する吸収性物品であって、窒素原子が３個以上、かつ、炭素原子が１〜３個の水溶性化合物を含有する吸収性物品を提供する。
【発明の効果】
【０００７】
本発明の吸収性物品は、吸収速度が速く、さらに液戻り量を抑え、装着時の加圧下での肌当接面側の液残り量を低減し、良好な装着感を奏する。
【図面の簡単な説明】
【０００８】
【図１】本発明の吸収性物品の好ましい一実施形態（第１実施形態）としての生理用ナプキンを模式的に示す一部切欠斜視図である。
【図２】図１に示す生理用ナプキンのＩＩ−ＩＩ線断面の拡大断面図である。
【発明を実施するための形態】
【０００９】
まず、図１及び２を参照して、本実施形態の吸収性物品の好ましい実施形態（第１実施形態）としての生理用ナプキン１０の全体構造について説明する。
本実施形態の生理用ナプキン１０は、肌当接面側に配される液透過性の表面シート１、非肌当接面側に配される液難透過性の裏面シート２、及び両シート間に介在配置される液保持性の吸収体３を有する。吸収体３の周縁外方において、表面シート１と裏面シート２とが、熱シール、超音波シール等の接合手段、もしくは、ホットメルト型接着剤の併用により接合されている。生理用ナプキン１０の肌当接面側には、排泄液を直接受ける排泄部対応領域を囲むように防漏溝１５が配設されている。防漏溝１５は、表面シート１側から表面シート１及び吸収層２を圧搾して形成されている。
【００１０】
吸収体３は、図２に示すように、親水性の繊維集合体３１と高吸水性ポリマー３２とを有する吸収性コア３３を備える。吸収性コア３３の肌当接面側は、被覆シート３４で覆われ、その非肌当接面側は被覆シート３５で覆われている。被覆シート３４と被覆シート３５とは別々の部材からなるものでもよく、１枚のシートからなるものでもよい。いずれの場合も、各シートの幅方向（Ｘ方向）端部が吸収性コア３３の側部、肌当接面側、又は非肌当接面側で接合されている。これにより、繊維集合体３１の繊維や高吸水性ポリマー３２が吸収体の外側に漏出しないようにされている。
【００１１】
表面シート１は、吸収体３の肌当接面側で、排泄液を吸収体３へと透過させる。そのため、表面シート１は、排泄された体液を速やかに透過させ、吸収体３に伝達することと、肌触りを良くするということから、親水性のエアスルー不織布からなることが好ましい。
裏面シート２は、吸収体３の非肌当接面側で液漏れを防ぐ。そのため、裏面シート２は、液難透過性の部材からなり、例えば、液不透過性の透湿性フィルム等を用いて形成されたシート体であることが好ましい。前記液難透過性とは、液を透過させにくい性質を意味し、防水性、撥水性及び液不透過性を含む。
なお、本発明においては、表面層１及び防漏層３は、単層のシート体に限らず、複数の部材を組み合わせたものや厚みに変化を持たせたものなど、種々の態様のものを任意に採用できる。
【００１２】
本実施形態の生理用ナプキン１０には、表面シート１と吸収体３との間に、中間シート４が配置されている。中間シート４は、表面シート１からの素早い液の引き込み、平面方向への液の拡散、及び吸収体３への液の効率的な引き渡しによって、吸収性能を向上させる部材である。そのため、中間シート４は、液透過性の繊維材料を主体とした部材からなることが好ましく、さらに液の透過性及び拡散性の観点から、表面シートよりも繊維密度が低いものがより好ましい。
【００１３】
本発明においては、特に断らない限り、人体に接触する側の面を肌側面ないし肌当接面あるいは表面といい、これと反対側の面を非肌面ないし非肌当接面あるいは裏面という。この２つの面において、肌側面に近い方ないしその延長方向を肌面側、肌当接面側又は表面側といい、非肌面に近い方ないしその延長方向を非肌面側、非肌当接面側又は裏面側という。装着時に人体の前側に位置する方向を前方といいその端部を前端部とし、後側に位置する方向を後方といいその端部を後端部として説明する。吸収性物品の表面又は裏面の法線方向を厚み方向といいその量を厚みという。
【００１４】
生理用ナプキン１０は、窒素原子が３個以上、かつ、炭素原子が１〜３個の水溶性化合物５を含有する。ここで、水溶性化合物とは、本発明の効果を発現させるために、経血やおりものなどの、タンパク質を成分として含有する排泄液（以下、経血等という。）に溶解可能な化合物を意味し、水溶性とは、具体的には、２０℃で水１００ｍｌに１ｇ以上溶解することを意味する。本願の効果をより有効に発揮させる観点から、５ｇ以上溶解することが好ましく、１０ｇ以上溶解することがより好ましい。
【００１５】
この水溶性化合物５は、化合物中の窒素原子が帯びる負の荷電によって、経血等に含まれるタンパク質と水素結合する作用を奏する。これにより、経血内のタンパク質同士の水素結合が解離されて高次構造が保てなくなり、その結果、経血等の粘性（粘度）が低減される。一方で、炭素原子が３個以下と少ないことで、疎水性が抑えられ、界面活性剤ほどの界面活性作用は無いので、経血等の表面張力の低減が抑制される。
【００１６】
このような作用を奏する水溶性化合物５は、典型的には、タンパク質変性剤である。しかし、経血等の表面張力に作用させるものではないので、界面活性剤とは異なるものである。したがって、水溶性化合物５によって粘度が低下した経血等は、表面張力の保持で平面方向への濡れ拡がりが生じ難い。そのため、表面シート１の肌当接面側に水溶性化合物５を含有させても、その作用による経血等の液流れ、これによる液の横漏れは生じ難い。つまり、本発明の水溶性化合物５は、界面活性剤のように液流れへの配慮から含有部材や部位を制限する必要がなく、任意に設定可能である。また、表面シート１以外に、吸収体３の被覆シート３４や吸収性コア３３の繊維集合体３１などに水溶性化合物５が含有されてもよい。経血等が高吸水性ポリマー３２と接触する手前の部材や繊維に水溶性化合物５が含有されていれば、粘度低下で吸収速度を効果的に向上させることができる。さらに、水溶性化合物５は、１つの部材等に限らず複数の部材等に含有されてもよい。
【００１７】
本実施形態においては、図２の円Ａ拡大図に示すように、水溶性化合物５は中間シート４に含有されている。中間シート４に水溶性化合物５を含有させる方法としては、例えば、中間シート４に水溶性化合物５を含む液（例えば、水溶液）をスプレー等で噴霧する方法、水溶性化合物を含む液に中間シート４を浸漬させる方法、又は水溶性化合物５の粒子を中間シート４に散布する方法などが挙げられる。また、水溶性化合物５は、中間シート４の表面に付着されていてもよく、内部に含まれていてもよく、表面及び内部の両方に配されていてもよい。
【００１８】
中間シート４は、表面シート１と吸収体３との間にあって、液透過の懸け橋となる。より具体的には、中間シート４は、表面シート１にある経血等の高粘性の液を積極的に引き込み、素早く吸収体へと引き渡す。このような中間シート１に水溶性化合物５が含有されたことで、通過する経血等に水溶性化合物５が接触され易くされている。この経血等と水溶性化合物５との接触で、次のような作用が奏される。これを推定されるメカニズムとともに説明する。
【００１９】
前述の水溶性化合物５は、炭素原子を１〜３個としてその数を限定した物質であるので、アルキル基など疎水基となる部分が少ない化合物である。アルキル基を有してもその鎖長は極めて限定的となる。一方、水溶性化合物５は、限定された炭素原子数にあって、窒素原子を３個以上と規定される物質であるので、尿素以上に、タンパク質中の官能基との相互作用を生じ易い。これにより、水溶性化合物５は、尿素に比して少量でもタンパク質に効果的に作用する。つまり、前述のとおり、水溶性化合物５はタンパク質と水素結合し、そのためタンパク質同士で形成する高次構造が保てなくなり変性する。
また、炭素原子の数が抑さえられているので、窒素原子がアミノ基やイミド基として存在することで、水溶性化合物５は親水性を高め経血中に溶解してタンパク質に作用し易くなる。さらに、水溶性化合物５は、炭素原子数を抑えた比較的コンパクトな化合物として複雑な構造のタンパク質とタンパク質との間に入り込み易い。これらのことが、水溶性化合物５の水素結合によるタンパク質の変性をより確かなものとできる。
【００２０】
この水素結合によるタンパク質の変性で、経血全体としての粘度が低下する。これにより、中間シート４ないし表面シート１の中間シート４との当接面にある経血等は、その粘度低下で、滞留することなく積極的に吸収体へと送り込まれ、素早く吸収体３内部に浸透し吸収保持され得る。
また、経血中の赤血球等の外在性タンパク質膜のタンパク質同士で形成する高次構造が、水溶性化合物５との水素結合で変性されると、高吸水性ポリマー３２の表面に血球の膜が形成され難くなる。その結果、高吸水性ポリマー３２は、その吸収能力が血球で阻害されず十分に発揮され得る。
これらにより、ナプキン１０における排泄液の吸収速度が向上する。また、これにより吸収体３で経血等の固定化が促進されるので、表面シート１へ液戻りや液残りしかねない流動的な経血等の液量が効果的に低減される。
【００２１】
さらに水溶性化合物５は、前述のとおり、界面活性剤ほどには界面活性作用を生じず、経血等の表面張力を保持し易い。そのため、中間シート４で透過中の経血等や吸収体３内で固定化される前の経血等は、適度に表面張力を発揮して、濡れ拡がらず、表面シート１の肌当接面側に液戻りし難い。逆に、表面シート１の肌当接面側に経血等が戻った場合でも、その表面張力により濡れ拡がらずに、表面シート１下のより親水性の高い繊維へと引き込まれ易い。その結果、経血等は、着用者の体圧等の加圧下でも表面シート１側へと戻り難く、表面シート１の表面に液残りし難い。そして、肌のベタつきが抑制され、良好な着用感が得られる。
【００２２】
加えて、水溶性化合物５は、水素結合の作用によってタンパク質を変性させるものであり、界面活性剤のようにミセルを形成してタンパク質を変性させるものではない。そのため、界面活性剤のように臨界ミセル濃度値以上となる添加量も必要ない。つまり、水溶性化合物５は、界面活性剤と比べても少量でタンパク質に対して効果を発揮する。
【００２３】
このような作用を奏する水溶性化合物５は、下記一般式（１）で表される化合物又はその塩であることが好ましい。
【化１】
2014100256.tif 000003
【００２４】
式中、Ｚは、イミド基又は酸素原子を表す。Ｙは、水素原子又は下記一般式（２）で表される基を表す。
【化２】
2014100256.tif 000004
【００２５】
式中、Ｘは単結合又はメチレン基を表す。Ｚは前記一般式（１）と同義である。
【００２６】
ここで、水溶性化合物５が塩である場合、該塩は本発明の化合物が水溶性である限り、どのような塩でも構わない。塩を形成する酸としては、無機酸または有機酸による塩が挙げられるが、無機酸が好ましい。無機酸としては、塩酸、臭素酸、硫酸、リン酸などが挙げられ、有機酸としては、蟻酸、酢酸などが挙げられる。
【００２７】
水溶性化合物５は、例えば、グアニジン、１−メチルグアニジン、１−エチルグアニジン、１，３−ジメチルグアニジン、１，１−ジメチルグアニジン、アミノグアニジン〔ＮＨ２ＮＨ−Ｃ（＝ＮＨ）−ＮＨ２〕、１，３−ジアミノグアニジン〔ＮＨ２ＮＨ−Ｃ（＝ＮＨ）−ＮＨＮＨ２〕等のグアニジン化合物、グアニルウレア〔ＮＨ２−Ｃ（＝Ｏ）−ＮＨ−Ｃ（＝ＮＨ）−ＮＨ２〕、ビウレット〔ＮＨ２−Ｃ（＝Ｏ）−ＮＨ−Ｃ（＝Ｏ）−ＮＨ２〕、１，２−ジカルバモイルヒドラジン、メチレンビス尿素〔ＮＨ２−Ｃ（＝Ｏ）−ＮＨＣＨ２ＮＨ−Ｃ（＝Ｏ）−ＮＨ２〕、およびこれらの塩酸、臭素酸、硫酸もしくはリン酸塩などが挙げられる。
水溶性化合物５は、これらのなかでも、グアニジン化合物若しくはその塩、又は１，２−ジカルバモイルヒドラジン若しくはメチレンビス尿素〔ＮＨ２−Ｃ（＝Ｏ）−ＮＨＣＨ２ＮＨ−Ｃ（＝Ｏ）−ＮＨ２〕であることが好ましい。
【００２８】
前記グアニジン化合物としては、特に制限されるものではないが、十分な経血への溶解性を有し肌への刺激性を抑えたものを適宜選択できる。特に、グアニジンを用いることが好ましい。また、その塩としては、グアニジン塩酸塩、グアニジンリン酸塩、塩酸アミノグアニジンなどが挙げられる。これらのグアニジン化合物は、単独又は２種類以上を併用してもよい。
【００２９】
水溶性化合物５の添加量（坪量）は、経血等の粘度低下の観点から、中間シート４全体に対する平均として、０．００３ｇ／ｃｍ２以上が好ましく、０．００８ｇ／ｃｍ２以上がより好ましく、０．０１７ｇ／ｃｍ２以上がさらに好ましい。その上限は、作用効果の有効性の観点から、０．０３３ｇ／ｃｍ２以下が好ましい。
また、水溶性化合物５の添加量は、中間シート４に対し均一でなくてもよく、添加濃度の濃淡があってもよし、添加領域と非添加領域とが所定のパターンで混在していてもよい。
【００３０】
なお、本発明で用いられる水溶性化合物５は、高吸水性ポリマー３２とは異なる性質を有する。すなわち、水溶性化合物５は、経血等に溶解する可溶性を有するものの、高吸水性ポリマー３２のように、粉粒体の表面だけを架橋して内部の架橋密度を低く保持した構造を有しない。つまり、水溶性化合物５は、高吸水性ポリマー３２にように、粉粒体内部に液を吸収して閉じ込める作用を奏しない。一方、高吸水性ポリマー３２は、水溶性化合物５のように、タンパク質を変性させる作用を奏しない。グアニジン等は高吸収性ポリマーの架橋剤やコーティング剤の一部として使用されることがあるが、これらは架橋ポリマーに結合した状態であり本願で規定している「水溶性」とはならず、従って本願の効果は発揮しない。このように、水溶性化合物５と高吸水性ポリマー３２とは全く異なるものである。
【００３１】
このような水溶性化合物５は、前述のとおり、経血等の表面張力を低下させずに粘度を低下させるため、本実施形態の中間シート４に限らず、表面シート１の肌当接面側等、含有部材や含有位置に制限はない。
【００３２】
本実施形態の生理用ナプキン１０の構成部材の形成材料としては、この種の物品に用いられるものを任意に採用することができる。
例えば、表面シート１としては、前述のとおり、親水性のエアスルー不織布が好ましく、その他、親水化処理が施された各種不織布や開孔フィルム等の液透過性のシートを用いることができる。また前記不織布の素材として、親水化処理された熱可塑性樹脂繊維であり、かつ、該繊維が２次クリンプ又は３次クリンプのような立体捲縮がなされた繊維であってもよい。具体的には、ポリエチレン、ポリプロピレン、ポリエステル、ナイロン、及びこれらの複合繊維を作成し、所定の長さにカットしてステープルを形成する前の段階で、各種親水化剤を塗工する。また、上記の素材の非肌当接面側に、親水性穴開きフィルムや親水性不織布等が重ねられていてもよい。
【００３３】
中間シート４としては、排泄された液の引き込み性や拡散機能、保持機能を有するもの、液戻り量を軽減するもの等が用いられる。例えば、ティッシュペーパーなどの紙、織布、不織布、編布、パーチメント、パピルス、パルプ積繊体等を用いることができる。不織布としては、例えば、ケミカルボンド不織布、サーマルボンド不織布、エアレイド不織布、スパンレース不織布、スパンボンド不織布、メルトブローン不織布、ニードルパンチ不織布、ステッチボンド不織布等が挙げられる。これらのシートは単層の状態でもよく、あるいは複数層が積層されて１枚のシートとなっている多層構造のものでもよい。また、坪量は５ｇ／ｍ２以上８０ｇ／ｍ２以下が好ましく、特に１０ｇ／ｍ２以上３０ｇ／ｍ２以下が好ましい。また、厚みは０．０５ｍｍ以上５．０ｍｍ以下が好ましく、特に０．１ｍｍ以上３．０ｍｍ以下が好ましい。
【００３４】
吸収体３の繊維集合体３１を構成する繊維としては、パルプ繊維等の親水性天然繊維や、合成繊維（好ましくは親水化処理を施したもの）等を用いることができる。坪量は特に限定されないが、１５０ｇ／ｍ２〜５００ｇ／ｍ２が好ましい。
高吸水性ポリマー３２としては、例えば、自重の２０倍以上の液体を吸収でき且つゲル化し得るものが好ましく、例えば、デンプンや架橋カルボキシルメチル化セルロース、アクリル酸又はアクリル酸アルカリ金属塩とその他モノマーとの共重合体等、ポリアクリル酸及びそのアルカリ金属塩（部分又は完全中和物）並びにポリアクリル酸塩グラフト重合体を挙げることができる。特に好ましいのは、ポリアクリル酸アルカリ金属塩（部分又は完全中和物）である。これらの高吸水性ポリマーは、一種を単独で又は二種以上を組み合わせて用いることもできる
【００３５】
被覆シート３４及び３５としては、例えば、親水性のティッシュペーパー等の薄手の紙（薄葉紙）、クレープ紙、コットンやレーヨンなどの親水性繊維からなる不織布、合成樹脂の繊維に親水化処理を施してなる不織布、例えばエアスルー不織布、ポイントボンド不織布、スパンレース不織布、スパンボンド不織布、スパンボンド−メルトブローン−スパンボンド（ＳＭＳ）不織布等からなるものを用いることができる。
【００３６】
裏面シート２としては、前述の透湿性フィルムが好ましく、その他、該フィルムと不織布とを貼り合わせたもの、撥水性の不織布（ＳＭＳやＳＭＭＳ等）を用いることができる。コスト面やズレ止め粘着剤とのマッチングなどから、透湿性フィルム単独を防漏材として用いることが最も好ましい。この場合の透湿性フィルム材としては、熱可塑性樹脂と、これと相溶性のない無機フィラーを溶融混練して押し出したフィルムを所定の寸法に延伸して微細孔をあけたフィルム、または、本質的に水分の相溶性が高く、浸透膜のように水蒸気排出可能な無孔性のフィルムが挙げられる。
【００３７】
本発明における吸収性物品は、上記の実施形態に制限されるものではなく、たとえば、パンティライナー（おりものシート）であってもよい。
【００３８】
上述した実施形態に関し、本発明はさらに以下の吸収性物品を開示する。
【００３９】
＜１＞肌当接面側に配される表面シート、非肌当接面側に配される裏面シート、及び前記両シートの間に介在配置される吸収体を有する吸収性物品であって、窒素原子が３個以上、かつ、炭素原子が１〜３個の水溶性化合物を含有する吸収性物品。
＜２＞前記水溶性化合物の溶解度が、２０℃で水１００ｍｌに５ｇ以上、好ましくは１０ｇ以上溶解する前記＜１＞に記載の吸収性物品。
【００４０】
＜３＞前記水溶性化合物が、下記一般式（１）で表される化合物又はその塩である前記＜１＞又は＜２＞に記載の吸収性物品。
【化１】
2014100256.tif 000005
（式中、Ｚは、イミド基又は酸素原子を表す。Ｙは、水素原子又は下記一般式（２）で表される基を表す。）
【化２】
2014100256.tif 000006
（式中、Ｘは単結合又はメチレン基を表す。Ｚは前記一般式（１）と同義である。）
＜４＞前記水溶性化合物が前記一般式（１）で表される化合物の塩であり、塩を形成する酸が無機酸である前記＜３＞に記載の吸収性物品。
＜５＞前記水溶性化合物が前記一般式（１）で表される化合物の塩であり、塩を形成する酸が塩酸である前記＜３＞又は＜４＞に記載の吸収性物品。
＜６＞前記水溶性化合物が、タンパク質変性剤である前記＜１＞〜＜５＞のいずれか１に記載の吸収性物品。
＜７＞前記水溶性化合物が、グアニジン化合物又はその塩である前記＜１＞〜＜６＞のいずれか１に記載の吸収性物品。
＜８＞前記水溶性化合物が、グアニジン化合物の塩酸塩である前記＜１＞〜＜７＞のいずれか１に記載の吸収性物品。
＜９＞前記水溶性化合物が、グアニジンの塩酸塩である前記＜１＞〜＜８＞のいずれか１に記載の吸収性物品。
＜１０＞前記水溶性化合物が、１，２−ジカルバモイルヒドラジン又はメチレンビス尿素である前記＜１＞〜＜６＞のいずれか１に記載の吸収性物品。
＜１１＞前記水溶性化合物が、メチレンビス尿素である前記＜１＞〜＜６＞のいずれか１に記載の吸収性物品。
＜１２＞前記表面シートに前記水溶性化合物が含有されている＜１＞〜＜１１＞のいずれか１に記載の吸収性物品。
＜１３＞前記表面シートの肌当接面側に前記水溶性化合物が含有されている＜１＞〜＜１２＞のいずれか１に記載の吸収性物品。
＜１４＞前記吸収体はその被覆シートを有し、該被覆シートに前記水溶性化合物が含有されている＜１＞〜＜１３＞のいずれか１に記載の吸収性物品。
＜１５＞前記吸収体は吸収性コアに繊維集合体を有し、該繊維集合体に前記水溶性化合物が含有されている＜１＞〜＜１４＞のいずれか１項に記載の吸収性物品。
＜１６＞前記表面シートと前記吸収体との間に中間シートが介在配置されており、該中間シートに前記水溶性化合物が含有されている＜１＞〜＜１５＞のいずれか１に記載の吸収性物品。
＜１７＞前記水溶性化合物が前記中間シートの表面に付着している前記＜１６＞に記載の吸収性物品。
＜１８＞前記中間シートに含有される前記水溶性化合物の坪量は、中間シート全体に対する平均として、好ましくは０．００３ｇ／ｃｍ２以上、より好ましくは０．００８ｇ／ｃｍ２以上、さらに好ましいくは０．０１７ｇ／ｃｍ２以上、である前記＜１６＞又は＜１７＞に記載の吸収性物品。
＜１９＞前記中間シートに含有される前記水溶性化合物の坪量は、中間シート全体に対する平均として、０．０３３ｇ／ｃｍ２以下である前記＜１６＞〜＜１８＞のいずれか１に記載の吸収性物品。
＜２０＞前記中間シートに前記水溶性化合物を含む液をスプレーで噴霧した、前記＜１６＞〜＜１９＞のいずれか１に記載の吸収性物品。
【実施例】
【００４１】
以下、本発明を実施例に基づきさらに詳しく説明するが、本発明はこれにより限定して解釈されるものではない。
（実施例１）
市販の生理用ナプキン（商品名「ロリエ  Ｓｐｅｅｄ＋スリムガード  しっかり昼用」、花王（株）社２０１０年製）から中間シート（不織布）を取り出し、該中間シートに対し、グアニジン塩酸塩（Guanidine  Hydrochloride（商品名）、和光純薬工業株式会社製）を添加した。その添加方法は以下のとおりとした。まず、前記グアニジン塩酸塩を１０Ｗｔ％水溶液でスプレーを用いて０．０１７ｇ／ｃｍ２の坪量となるように中間シートの肌面側から噴霧散布し、一昼夜自然乾燥し、シートを得た。
その後、前記中間シートを前記生理用ナプキンの所定の位置にもどしてサンプル１とした。
【００４２】
（実施例２）
中間シートに対し、実施例１のグアニジン塩酸塩に代えて、ビウレア（関東化学、商品名「ビウレア」；メチレンビス尿素）を添加した以外、実施例１と同様にしてサンプル２を作製した。添加方法は以下のとおりである。
ビウレアを１０Ｗｔ％水溶液状態で中間シートに対して噴霧し、一昼夜自然乾燥させ、塗布坪量０．０１７ｇ／ｃｍ２のシートを得た。
【００４３】
（比較例１）
中間シートに対し、実施例１のグアニジン塩酸塩に代えて、界面活性剤（デシルグルコシド、商品名「マイドール１０」）を添加した以外、実施例１と同様にしてサンプル３を作製した。界面活性剤の添加方法は以下のとおりである。まず前記界面活性剤の３％希釈液を中間シートに対して噴霧し、一昼夜自然乾燥させ、塗布坪量０．０１７ｇ／ｃｍ２のシートを得た。
【００４４】
（比較例２）
市販の生理用ナプキン（商品名「ロリエ  Ｓｐｅｅｄ＋スリムガード  しっかり昼用」、花王（株）社２０１０製）そのものをサンプル４とした。
【００４５】
これらの実施例および比較例にて得られた繊維シートについて、それぞれ下記の測定方法に基づき、粘度、表面張力、吸収時間、加圧下での表面シートの液残り量を測定した。その結果を表１に示す。
【００４６】
［粘度の測定方法］
室温（２３℃）において、東機産業株式会社製  ＴＶＢ−１０型粘度計にて、ローターはＣＯＲＤ  Ｎｏ．１９を用い、回転速度３０ｒｐｍにて粘度測定を行った。
液投入前の血液の粘度測定は、馬血液を２０ｇ用いて前記粘度計で行った。この測定された数値を生理用ナプキンへの液投入前の血液の粘度とした。
液投入後の粘度測定に用いた血液は、実施例１，２及び比較例１−３で作成した中間シートを円筒形のアクリル製筒に挟み、各中間シート１枚に対し、血液６ｇを中間シートに通過させ液を回収し、この操作をそれぞれ４回繰り返して得た計２４ｇを用いた。この２４ｇを前記粘度計で測定を行った。この測定された数値をそれぞれ、各生理用ナプキンへの液投入後の血液の粘度とした。
【００４７】
［表面張力の測定方法］
協和界面化学株式会社製  自動表面張力計  ＣＰＶＢ−Ｚ型を用い表面張力測定を行った。これは、秤につるした白金プレートをシャーレに適量とった血液に上から下ろして、液面に接触した際に、プレートにかかる力を測定することにより求めた。
液投入前の血液の表面張力測定は、馬血液を２０ｇ用いて前記自動表面張力計で行った。この測定された数値を生理用ナプキン液投入前の血液の表面張力とした。
液投入後の粘度測定に用いた血液は、実施例１，２及び比較例１−３で作成した中間シートを円筒形のアクリル製筒に挟み、各中間シート１枚に対し、血液６ｇを中間シートに通過させ液を回収し、この操作をそれぞれ４回繰り返して得た計２４ｇを用いた。この２４ｇを前記自動表面張力計で測定を行った。この測定された数値をそれぞれ、各生理用ナプキンへの液投入後の血液の表面張力とした。
【００４８】
［吸収時間］
生理用ナプキンのサンプルをそれぞれ水平に置き、直径１ｃｍの注入口のついたアクリル板と重りを載せて、ナプキンに０．８ｇ／ｃｍ2の圧力がかかるようにした。次いで、注入口から脱繊維馬血（日本バイオテスト（株）製）３ｇを約１秒で注入した。注入後、３分間その状態を保持した。次いで、再び注入口から脱繊維馬血（日本バイオテスト（株）製）３ｇを約１秒で注入し、この２回目に注入した脱繊維馬血が全て吸収される時間を測定し、吸収速度を求めた。
【００４９】
［加圧下での表面シートの液残り量］
上記吸収時間の測定の後であって、合計６ｇの脱繊維馬血を吸収した後１分経過後に、アクリル板と重りを外し、生理用ナプキンの肌当接面上に、７ｃｍ×１０ｃｍで坪量３０ｇ／ｍ２の吸収紙（市販のティッシュペーパー）を１０枚重ねたもの（２枚重ねのティッシュペーパー５組）を載せた。更にその上に圧力が０．５×１０３Ｐａになるように重りを載せて１分間加圧した。加圧後、吸収紙１０枚を取り出し、加圧前後の吸収紙の重さを測定して、吸収紙に吸収された血液量を求めた。この値を、生理用ナプキンから戻った血液の液戻り量とした。
【００５０】
【表１】
2014100256.tif 000007
【００５１】
表１に示すとおり、実施例１及び２のサンプル１及び２は、比較例２のサンプル４のものに比して、粘度の低下が大きく、かつ、表面張力の低減幅が極めて小さいものであった。そして、実施例１及び２のサンプル１及び２は、比較例２のサンプル４のものに比して、吸収時間の短縮と液残り量の低減とを全て達成するものとなった。一方、比較例１のサンプル３では、粘度の低下とともに界面活性剤による表面張力の低下がみられた。そのため、液残り量が実施例１及び２の２倍以上となってしまっていた。この実施例１及び２と比較例１との液戻り量の違いは、肌の濡れた感じや着衣の汚れなどの着用者の不快感を解消するという観点から大きな効果の差であるといえる。
以上のことから、本発明の吸収性物品は、吸収速度が速く、液戻り量を抑え、装着時の加圧下での肌当接面側の液残り量を低減でき、良好な装着感を奏するものであることが分かった。
【符号の説明】
【００５２】
１  表面シート
２  裏面シート
３吸収体
３１  繊維集合体
３２  高吸水性ポリマー
３３  吸収性コア
３４，３５  被覆シート
４  中間シート
５  水溶性化合物
１０  生理用ナプキン
【図１】
2014100256.tif 000010
【図２】
2014100256.tif 000011